(57)【要約】【課題】  本発明は、上記課題を鑑みてなされたものであり、書籍の購読権を用いる印刷装置であって、著作権者の権利を適切に保護することを目的とする。【解決手段】  本発明は、書籍の購読権を用いる印刷装置であって、前記購読権に基づき、電子データに識別情報を設定する設定手段と、識別情報が設定された前記電子データから印刷データを作成する作成手段と、前記印刷データを用いて印刷を行う印刷手段と、を有することを特徴とする。【選択図】  図１
2016218927.tif 000002
【特許請求の範囲】
【請求項１】
書籍の購読権を用いる印刷装置であって、
前記購読権に基づき、電子データに識別情報を設定する設定手段と、
識別情報が設定された前記電子データから印刷データを作成する作成手段と、
前記印刷データを用いて印刷を行う印刷手段と、
を有することを特徴とする印刷装置。
【請求項２】
書籍の購読権を管理する管理装置と通信が可能な印刷装置であって、
前記管理装置から前記購読権を取得する取得手段と、
前記購読権に基づき、電子データに識別情報を設定する設定手段と、
識別情報が設定された前記電子データから印刷データを作成する作成手段と、
前記印刷データを用いて印刷を行う印刷手段と、
を有することを特徴とする印刷装置。
【請求項３】
前記識別情報は、消費者を識別するための情報であることを特徴とする請求項１もしくは２に記載の印刷装置。
【請求項４】
前記識別情報には、消費者を識別するための情報とコンテンツを識別するための情報とが含まれることを特徴とする、請求項１もしくは２に記載の印刷装置。
【請求項５】
前記識別情報には、禁止事項を示す文言の情報が含まれることを特徴とする請求項１もしくは２に記載の印刷装置。
【請求項６】
前記設定手段において設定される前記識別情報は、前記印刷手段による印刷物の一部分に付加されることを特徴とする請求項１乃至５のいずれか１項に記載の印刷装置。
【請求項７】
書籍の購読権の管理装置と通信が可能な管理装置であって、
書籍の識別情報を取得する識別情報取得手段と、
識別情報が取得された前記書籍を廃棄する廃棄手段と、
前記識別情報を、前記購読権の管理装置に送る送信装置と、を有することを特徴とする管理装置。
【請求項８】
書籍の購読権の管理装置であって、
他の装置から、書籍の識別情報および書籍の消費者に関する情報を取得する取得手段と、
前記取得手段で取得された情報に基づき、前記購読権を管理する管理手段と、を有することを特徴とする管理装置。
【発明の詳細な説明】
【技術分野】
【０００１】
本発明は、書籍の購読権を用いる印刷装置および管理装置に関する。
【背景技術】
【０００２】
近年、紙に印刷された書籍や雑誌などの印刷出版書籍に加えて、スマートフォンやタブレット端末などを用いて購読する電子書籍が普及している。電子書籍には、購読に用いる端末や閲覧用ソフトに応じて、様々なフォーマットで作成されたコンテンツが存在している。
【０００３】
消費者は、読みやすい印刷出版書籍を購入して読んだ後、蔵書のために場所をとらない同一内容の電子書籍を購入するというケースがある。また、消費者は、あるフォーマットの電子書籍を購入した後に、購読する端末を買い替えたため、異なるフォーマットの同一内容の電子書籍を購入するというケースがある。
【０００４】
現在はコンテンツ毎に料金が設定されている。よって、上記の２ケースのように消費者が同一の著作物から作成された異なるフォーマットのコンテンツを複数買う際に、同一の著作物に対する対価を複数回支払うことになってしまう。尚、印刷出版書籍もフォーマットの一種とする。
【０００５】
さらに、著作物には出版社と著者などの間で個別に締結された権利関係が存在し、かつ、その情報は出版社と著者などによって個別に管理されている。そのため、コンテンツ作成者は、著作物からコンテンツを作成する際には、出版社や著者などの権利保有者と個別に権利関係の調整や契約が必要であり、その処理に時間と労力が必要となる。
【０００６】
特許文献１には、すでに印刷出版書籍を購入した消費者に対して電子書籍を割引販売する技術が開示されている。特許文献１では、消費者が印刷出版書籍を書店で購入した際に、ＩＣカードに「購入証明」を発行する。その後、消費者が電子書籍を買う際に、購入証明の有無によってサービスを切り替えるものである。特許文献２には、異なるフォーマットのコンテンツを再購入する際に特典を付ける技術が開示されている。特許文献２では、第１のフォーマットである第１のコンテンツとコンテンツライセンスをユーザーに販売する。このコンテンツライセンスを記憶しておき、第２のフォーマットである第２のコンテンツの販売において、前記コンテンツライセンスを解析してその販売に影響を与えるというものである。
【先行技術文献】
【特許文献】
【０００７】
【特許文献１】特開２０００−１１３０４９号公報
【特許文献２】特表２００７−５２４９２１号公報
【発明の概要】
【発明が解決しようとする課題】
【０００８】
しかしながら、特許文献１では、消費者が印刷出版書籍を購入したか否かを管理しているため、同一の著作物から作成された異なるフォーマットの電子書籍を複数種類購入する場合には、著作物に対する対価を複数回に支払わなければならないという問題がある。
【０００９】
また、特許文献１と特許文献２はともに、消費者とコンテンツ作成者（これらの文献では販売者と同一）との間の権利関係に関する記述はあるが、コンテンツ作成者と著作物の権利保有者との権利関係の調整や契約についての方策は記述されていない。そのため、著作物の権利保有者とコンテンツ作成者が異なる場合に、コンテンツ作成者は、著作物からコンテンツを作成する際に、出版社や著者などの権利保有者と個別に権利関係の調整や契約が必要であり、その処理に時間と労力が必要という問題がある。
【００１０】
一方で、コンテンツを無制限に取得できるような書籍の購読権を用いたシステムを採用してしまうと、著作権者の権利が保護されない可能性がある。例えば、消費者ＩＤやパスワードが流出して、不特定多数の人間が著作物を許可なく閲覧したり、安く購入したコンテンツを転売したり等が行われる可能性がある。
【００１１】
本発明は、上記課題を鑑みてなされたものであり、書籍の購読権を用いる印刷装置であって、著作権者の権利を適切に保護することを目的とする。
【課題を解決するための手段】
【００１２】
本発明は、書籍の購読権を用いる印刷装置であって、前記購読権に基づき、電子データに識別情報を設定する設定手段と、識別情報が設定された前記電子データから印刷データを作成する作成手段と、前記印刷データを用いて印刷を行う印刷手段と、を有することを特徴とする。
【発明の効果】
【００１３】
本発明によれば、書籍の購読権を用いる印刷装置であって、著作権者の権利を適切に保護することが出来る。
【図面の簡単な説明】
【００１４】
【図１】書籍の購読権を用いた印刷処理の構成例を示す図である。
【図２】書籍の購読権を用いた印刷装置の構成を示すブロック図である。
【図３】書籍の購読権を用いた印刷処理を示すフローチャートである。
【図４】本の一部に識別情報を印刷した例を示す図である。
【図５】書籍の購読権の管理装置の構成を示すブロック図である。
【図６】コンテンツ価格ＤＢ１６１に格納される項目の１例を示す図である。
【図７】消費者所持の書籍の購読権ＤＢ１４に格納される項目の１例を示す図である。
【図８】利用者情報ＤＢ１１に格納される項目の１例を示す図である。
【図９】書籍の購読権ＤＢ１２に格納される項目の１例を示す図である。
【図１０】簡易印刷書籍の廃棄処理の構成例を示す図である。
【図１１】書籍廃棄装置の構成を示すブロック図である。
【図１２】簡易印刷書籍の廃棄処理を示すフローチャートである。
【図１３】書籍の購読権管理装置が消費者の生存情報を確認する場合の構成例である。
【図１４】書籍の購読権管理装置の構成を示すブロック図である。
【発明を実施するための形態】
【００１５】
（第１の実施形態）
図１に本実施形態の構成例を示す。書籍の購読権管理装置１０、書籍の購読権を用いた印刷装置１６０と消費者端末１２がネットワークを介して接続しており、消費者が書籍の購読権を用いた印刷装置１６０の販売Ｗｅｂページより、簡易印刷書籍を購入する例について説明する。ここで、簡易印刷書籍とは、印刷出版におけるＣＴＰデータ等の電子データから版無しで印刷した印刷物（書籍）のことである。
【００１６】
消費者が書籍の購読権を所持しているコンテンツ（簡易印刷書籍）を購入する場合において、購入した簡易印刷書籍を転売したりする等を防ぐため、図４に示すように本の一部に識別情報を印刷することを特徴とする。ここで、本の一部とは、表紙・裏表紙・背・小口・天・地や、各ページの一部などのことである。また、識別情報とは、「書籍の購読権にて購入した書籍であるため転売禁止」等の禁止事項を示す文言やそれを簡易に表した記号、消費者ＩＤ、コンテンツＩＤ、書籍の購読権ＩＤ等の文字列や、それらを符号化したもののことである。
【００１７】
また、書籍の購読権管理装置１０において印刷回数を管理することで、印刷回数を制限することを特徴とする。
【００１８】
図５は本実施形態の書籍の購読権管理装置１０の構成例を示すブロック図である。書籍の購読権管理装置１０は、利用者情報ＤＢ１１、書籍の購読権ＤＢ１２、コンテンツＤＢ１３、消費者所持書籍の購読権ＤＢ１４とネットワークを介して通信および接続される構成としても良い。書籍の購読権管理装置１０は、利用者情報登録部１０１、書籍の購読権登録部１０２、コンテンツ登録部１０３、コンテンツ承認部１０４、消費者所持書籍の購読権管理部１０５、認証部１０６、著作権料決済部１０７から構成される。利用者情報登録部１０１は、書籍の購読権管理装置を利用する個人や法人の情報を登録するための機能部位である。ここで、書籍の購読権管理装置を利用する個人や法人とは、著作物の権利保有者、その著作物を元にコンテンツを作成するコンテンツ作成者、コンテンツを購読する消費者のことをさす。書籍の購読権登録部１０２は、著作物の権利保有者が著作物の書籍の購読権を登録するための機能部位である。コンテンツ登録部１０３は、コンテンツ作成者が著作物を元に作成したコンテンツを登録するための機能部位である。コンテンツ承認部１０４は、著作物の権利所有者が登録されたコンテンツを承認するための機能部位である。消費者所持書籍の購読権管理部１０５は、消費者が所持する書籍の購読権を管理する機能部位である。認証部１０６は、コンテンツが著作物の権利所有に承認されたものであることを認証する機能、および、消費者が書籍の購読権を所持することを認証するための機能を有する機能部位である。著作権料決済部１０７は、消費者が書籍の購読権を購入した際に、著作物の権利所有者へ著作権料の振込等の決済処理を行う機能部位である。
【００１９】
利用者情報ＤＢ１１は、利用者情報登録部１０１にて登録された情報を格納する機能部位である。図８（ａ）著作物の権利保有者情報、図８（ｂ）はコンテンツ作成者情報、図８（ｃ）は消費者情報の一例である。
【００２０】
書籍の購読権ＤＢ１２は、書籍の購読権登録部１０２にて登録された書籍の購読権の情報を格納する機能部位である。図９（ａ）は書籍の購読権の情報の一例を示す。著作物の権利保有者が書籍の購読権を登録した際に書籍の購読権ＩＤ９０１が付与され、コンテンツ作成者によって登録され著作物の権利保有者によって承認されたコンテンツのＩＤが、承認コンテンツＩＤ９０３として格納されている。また、著作物の権利保有者が登録した書籍の購読権権利条項９０２が格納されている。ここで、書籍の購読権権利条項９０２とは、著作物の権利保有者が有する権利（著作権や著作隣接権など）の中から、消費者に与える権利内容を記した条項である。この項目は著作物の権利保有者が自由に設定しても良いし、消費者に混乱を与えないために、業界団体が推奨する権利項目を設定しても良い。図９（ｂ）に権利条項の一部を示す。これらの権利項目の中から１つまたは複数が選択される。また、権利条項には、著作物の権利保有者の権利が侵害されないようにするため制限事項９０４を設定している。簡易印刷書籍であれば、９０５に示すように、印刷時に簡易印刷書籍へ識別情報が付加されて印刷される、購入できるのは２冊まで等と設定する。また、印刷回数は１回までだが、最後に印刷してから２年経過すると再度印刷できる、専門の廃棄所へ持ち込んで廃棄すると再度印刷できる等と設定してもよい。コンテンツＤＢ１３は、コンテンツ登録部１０３にて登録されたコンテンツの情報を格納する機能部位である。
【００２１】
消費者所持書籍の購読権ＤＢ１４は、消費者が所持する書籍の購読権の情報を格納する機能部位である。図７（ａ）に消費者が所持する書籍の購読権の情報の一例を示す。消費者ＩＤ７０１とその消費者が保持する書籍の購読権ＩＤ７０２を格納している。さらに、書籍の購読権に制限事項が設定されている場合は、図７（ｂ）に示すように、その制限を行うために必要な管理情報７０３を格納している。例えば、簡易印刷書籍の管理情報は、図９（ｂ）の９０５に示すような制限を行うため、図７（ｃ）に示すように、最終印刷日時７０５、印刷回数７０６などを格納している。
【００２２】
図２は書籍の購読権を用いた印刷装置１６０の構成例を示すブロック図である。書籍の購読権を用いた購買装置１６０は、コンテンツ価格ＤＢ１６１とコンテンツ電子データ１６２とネットワークを介して接続されるか、またはそれらを含む構成としても良い。また、書籍の購読権を用いた印刷装置１６０は、先述した書籍の購読権管理装置１０とネットワークを介して接続されるか、またはそれらを含む構成としても良い。書籍の購読権を用いた印刷装置１６０は購入コンテンツ選択部１６０１、消費者情報入力部１６０２、書籍の購読権管理部１６０３、価格決定部１６０４、識別情報設定部１６０５、データフォーマット変換部１６０６、印刷製本部１６０７から構成される。購入コンテンツ選択部１６０１は、消費者が購入したいコンテンツを選択するための機能部位である。消費者情報入力部１６０２は、書籍の購読権管理装置１０が消費者を識別するのに用いる消費者情報を入力するための機能部位である。書籍の購読権確認部１６０３は、消費者が選択したコンテンツの書籍の購読権を所持するか否かを書籍の購読権管理装置１０へ確認するための機能部位である。価格決定部１６０４は、消費者が書籍の購読権を持つか否かによってコンテンツ価格を決定するための機能部位である。識別情報設定部１６０５は、選択されたコンテンツの電子データに識別情報を付加するための機能部位である。データフォーマット変換部１６０６は、選択されたコンテンツの電子データを印刷に適したフォーマットへ変換するための機能部位である。印刷製本部１６０７は、印刷と製本をするための機能部位である。コンテンツ価格ＤＢ９１は図６に示すように、書籍の購読権価格６０１と書籍の購読権に紐付けられたコンテンツのフォーマット価格６０２、各コンテンツのサイズ、表紙品質、紙品質、プリント品質、製本品質を格納している。コンテンツ電子データＤＢ１６２は、コンテンツの電子データ（電子書籍のＥＰＵＢやＰＤＦ（登録商標）、印刷出版におけるＣＴＰデータ等）を格納している。
【００２３】
消費者は予め、書籍の購読権管理装置１０を利用するために、利用者情報登録部１０１において、消費者情報を登録し、利用者情報ＤＢ１１に格納する。消費者情報は、図８（ｃ）に示すような消費者ＩＤ、パスワード、氏名、Ｅ−ｍａｉｌアドレスなどの項目を含む。
【００２４】
図３は本実施形態における、書籍の購読権を用いた購買処理のフローチャートである。まず、購入コンテンツ選択部１６０１において、消費者が購入したいコンテンツを選択する（Ｓ１７０１）。消費者は、簡易印刷書籍の本のサイズ、表紙品質、紙品質、プリント品質、製本品質を考慮してコンテンツを選択する。次に、消費者情報入力部１６０２において、消費者は予め書籍の購読権管理システム１０に登録しておいた消費者ＩＤおよびパスワードを入力する（Ｓ１７０２）。次に、書籍の購読権確認部１６０３において、消費者が選択したコンテンツの書籍の購読権を所持するか否か、印刷制限回数に達していないかを書籍の購読権管理装置１０へ確認する（Ｓ１７０３）。その際、消費者が選択したコンテンツの書籍の購読権ＩＤまたはコンテンツＩＤ、消費者ＩＤ、パスワードを書籍の購読権管理装置１０へ送信する。次に、書籍の購読権管理装置１０は認証部１０６において、消費者が選択したコンテンツの書籍の購読権を消費者が所持すること、および、印刷制限回数に達していないことを認証する。（Ｓ１７０４）。認証部１０６では、消費者ＩＤ、パスワードを用いて消費者を識別し、書籍の購読権ＤＢ１２および消費者所持書籍の購読権ＤＢ１４を探索して、消費者が選択したコンテンツの書籍の購読権を所持すること、および、印刷制限回数に達していないことを認証する。次に、書籍の購読権を用いた印刷装置１６０は価格決定部１６０４において、消費者が選択したコンテンツの書籍の購読権を消費者が所持し、かつ、印刷回数が制限値に達していないか、否かによって処理をきりかえる（Ｓ１７０５）。書籍の購読権を消費者が所持し、かつ、印刷回数が制限値に達していない場合は、コンテンツ価格ＤＢ９１に格納されたコンテンツのフォーマット価格のみを表示する（Ｓ１７０６）。書籍の購読権を消費者が所持しない場合、および、書籍の購読権を消費者が所持しているが印刷回数が制限値に達した場合は、コンテンツ価格ＤＢ９１に格納された書籍の購読権の価格とコンテンツのフォーマット価格を合算した値を表示する（Ｓ１７０７）。次に、消費者は購入に同意するか否かを入力する（Ｓ１７０８）。購入に同意した場合はＳ１０１０に進み、購入に同意しない場合はＳ１７０１に戻る。次に、識別情報設定部１６０５において、消費者が選択したコンテンツの電子データ、印刷出版におけるＣＴＰデータ等）をコンテンツ電子データＤＢより取得し、識別情報を設定する（Ｓ１７１０）。例えば、図４に示すように本の一部（表紙・裏表紙・背・小口・天・地や、各ページの一部など）に、識別情報が印刷されるように電子データのフォーマットに合わせて設定する。ここで、識別情報とは、「書籍の購読権にて購入した書籍であるため転売禁止」等の禁止事項を示す文言やそれを簡易に表した記号、消費者ＩＤ、コンテンツＩＤ、書籍の購読権ＩＤ等の文字列や、それらを符号化したもののことである。次に、印刷データ作成部１６０６において、識別情報が設定された電子データと、Ｓ１７０１で選択されたコンテンツの情報（本のサイズ、表紙品質、紙品質、プリント品質、製本品質）から、ＪＤＦ等の印刷データを作成する（Ｓ１７１１）。次に、印刷製本部１６０７において、Ｓ１７１１で作成した印刷データを用いて、印刷し製本する（Ｓ１７１２）。次に、書籍の購読権を用いた印刷装置１１は、印刷されたコンテンツを消費者へ発送する（Ｓ１７１３）。次に、書籍の購読権管理部１６０３において、印刷完了情報や印刷日時などの管理情報を書籍の購読権管理装置１０へ送信する（Ｓ１７１４）。次に、書籍の購読権管理装置１０は消費者所持書籍の購読権管理部１０５において、消費者所持書籍の購読権ＤＢ１４に格納された情報を更新する（Ｓ１７１５）。例えば、消費者が新たに書籍の購読権を購入した場合は、図７（ａ）の書籍の購読権ＩＤ７０２へ新たに購入した書籍の購読権ＩＤを追加する。さらに、図７（ｂ）に示すように、書籍の購読権に制限事項が設定されている場合には、管理情報７０３や購入の有無７０４を更新する。管理情報７０３は簡易印刷書籍であれば、図７（ｃ）に示すような、最終印刷日時７０５、印刷回数７０６などを更新する。
【００２５】
以上説明した処理制御を行うことで、簡易印刷書籍の一部に識別情報を印刷することができ、さらに印刷回数を制限することができるため、著作物の権利保有者の権利を守ることが可能となる。
【００２６】
なお、本実施形態では、書籍の購読権管理装置１０と書籍の購読権を用いた印刷装置１６０がネットワークを介して接続している例を用いて説明した。しかし、書籍の購読権管理装置１０が書籍の購読権を用いた印刷装置１６０に含まれる構成としても同様の効果を得ることができる。
【００２７】
また、本実施形態では著作物を一冊全て印刷する例を示したが、著作物の一部分、例えば１章だけを印刷することも可能である。その場合は、消費者所持書籍の購読権ＤＢ１４に格納された管理情報７０３にて、ページ毎の印刷回数を管理することで実現できる。
【００２８】
また、本実施形態では、消費者が所持する印刷する権利として書籍の購読権を例に説明したが、これに限定するものではない。例えば、電子書籍が販売される際に、「個人利用の場合に限り印刷可能である」等と権利条項が設定されている場合において、電子データを用いて印刷する際にも、著作物の権利保有者の権利を守ることが可能となる。
【００２９】
（第２の実施形態）
第１の実施形態では、簡易印刷書籍の印刷回数を管理して、印刷回数を制限する例を示した。しかし、購入した印刷書籍が汚れたため再度購入したい場合や、書籍を読み終わり蔵書用の場所が無いため廃棄したが再度購入したい場合などに、印刷制限回数に達しているため購入できない可能性がある。第２の実施形態では、これらのケースを解決するために、消費者が簡易印刷書籍を廃棄する際に書籍廃棄所へ送付し、書籍廃棄所では書籍廃棄装置を用いて書籍を廃棄した後に、廃棄情報を書籍の購読権管理装置へ送信する例を説明する。書籍の購読権管理装置は廃棄情報を受け取ると、印刷回数を減らす処理を行う。
【００３０】
図１０に本実施形態の構成例を示す。書籍の購読権管理装置１０と、書籍廃棄所にある書籍廃棄装置１８０がネットワークを介して接続している。図１１は本実施形態の書籍廃棄装置１８０の構成例を示すブロック図である。書籍廃棄装置１８０は、識別情報取得部１８０１、廃棄処理部１８０２、書籍の購読権管理部１８０３で構成される。識別情報取得部１８０１は、簡易印刷書籍に印刷された識別情報をスキャンして、消費者ＩＤやコンテンツＩＤ等の情報を取得する機能部位である。廃棄処理部１８０２は、簡易印刷書籍を裁断するなどして廃棄するための機能部位である。書籍の購読権管理部１８０３は、廃棄情報（廃棄完了情報、廃棄した書籍の消費者ＩＤやコンテンツＩＤ）を書籍の購読権管理装置１０へ送信するための機能部位である。
【００３１】
図１２は本実施形態における、簡易印刷書籍の廃棄処理のフローチャートである。まず、消費者は、廃棄したい簡易印刷書籍を書籍廃棄所へ持ち込むか送付する（Ｓ１９０１）。ここで、書籍廃棄所とは、簡易印刷書籍の廃棄処理を行う機関であり、簡易印刷書籍を印刷した印刷所や、書店などが行うことが想定される。次に、書籍廃棄所では、書籍廃棄装置１８０を用いて書籍の廃棄処理を行う。まず、識別情報取得部１８０１において、簡易印刷書籍に印刷された識別情報をスキャンして、消費者ＩＤやコンテンツＩＤ等の情報を取得する（Ｓ１９０２）。ここで、識別情報が文字列の場合は、スキャン画像の文字認識を行い、消費者ＩＤやコンテンツＩＤ等の情報を取得する。識別情報が２次元コードや暗号のように符号化されている場合は、スキャン画像を元に復号処理を行い、消費者ＩＤやコンテンツＩＤ等の情報を取得する。次に、廃棄処理部１８０２において、簡易印刷書籍を裁断するなどして廃棄処理を行う（Ｓ１９０３）。次に、書籍の購読権管理部１８０３において、廃棄完了情報、廃棄した書籍の消費者ＩＤやコンテンツＩＤなどの廃棄情報を書籍の購読権管理装置１０へ送信する（Ｓ１９０４）。書籍の購読権管理装置１０では、受けとった廃棄完了情報、廃棄した書籍の消費者ＩＤやコンテンツＩＤなどの廃棄情報を元に、消費者所持書籍の購読権ＤＢ１４に格納された図７（ｃ）示すような印刷回数７０６を減らす処理を行う。
【００３２】
以上説明した処理制御を行うことで、印刷制限回数に達していたとしても、消費者は再度書籍を購入することが可能となる。また、書籍の廃棄の際に、必ず書籍廃棄所へ届くため、紙資源の再利用などを行うことも可能となる。
【００３３】
（第３の実施形態）
第１の実施形態では、図９（ｂ）に示すような書籍の購読権の権利条項の例を上げたが、消費者がその権利を有する期間については論じていなかった。書籍の購読権は著作物の権利所有者によって期間が設定される。例えば、１０年間、２０年間、消費者が生存している間などと設定できる。消費者が生存している間と設定されている場合には、書籍の購読権管理装置は、消費者が生存している否かを判断する必要がある。そこで、第３の実施形態では書籍の購読権管理装置１０が、役所など公共機関の戸籍管理装置や民間の生命保険管理装置から、消費者が生存している否かの情報を得ることを特徴とする。
【００３４】
図１３に本実施形態の構成例を示す。書籍の購読権管理装置１０と、市役所など公共機関の戸籍管理装置や民間の生命保険管理装置がネットワークを介して接続している。図１４は本実施形態の書籍の購読権管理装置１０の構成例を示すブロック図である。書籍の購読権管理装置１０は、消費者生存情報取得部１０８において、役所など公共機関の戸籍管理装置や民間の生命保険管理装置から、定期的に消費者が生存している否かの情報を得て、利用者情報ＤＢ１１や消費者所持書籍の購読権ＤＢ１４の情報を更新する。
【００３５】
以上説明した処理制御を行うことで、書籍の購読権管理装置は消費者が生存している否かの情報を得ることができ、書籍の購読権を管理することが可能となる。
【図１】
2016218927.tif 000003
【図２】
2016218927.tif 000004
【図３】
2016218927.tif 000005
【図４】
2016218927.tif 000006
【図５】
2016218927.tif 000007
【図６】
2016218927.tif 000008
【図７】
2016218927.tif 000009
【図８】
2016218927.tif 000010
【図９】
2016218927.tif 000011
【図１０】
2016218927.tif 000012
【図１１】
2016218927.tif 000013
【図１２】
2016218927.tif 000014
【図１３】
2016218927.tif 000015
【図１４】
2016218927.tif 000016